(57)【要約】【課題】  一つのドレープで要求される様々な大きさの開口部に迅速かつ正確に対応することを可能とする。【解決手段】  患者の切開箇所を露出させるための開口部Ｈと裏面に粘着部３Ａ、３Ｂを有するドレープを、互いの端部を突き合わせまたは重ね合わせて使用に供する２枚のドレープ片１Ａ、１Ｂで構成し、上記ドレープ片の端部にそれぞれを突き合わせまたは重ね合わせた際に開口部を形成するように切り欠き２Ａ、２Ｂを設けると共に、突き合わせまたは重ね合わせ時の開口部の寸法を示す目盛り４、５をドレープ片表面に設ける。【選択図】      図１
0003141404.tif 000002
【実用新案登録請求の範囲】
【請求項１】
患者の切開箇所を露出させるための開口部と、裏面に粘着部を有するドレープを、互いの端部を突き合わせまたは重ね合わせて使用に供する２枚のドレープ片で構成し、上記ドレープ片の端部にそれぞれを突き合わせまたは重ね合わせた際に開口部を形成するように切り欠きを設けると共に、突き合わせまたは重ね合わせ時の開口部の寸法を示す目盛りをドレープ片表面に設けた手術用ドレープ。
【請求項２】
一方のドレープ片の表面に、端部から離隔する方向に複数本のラインを間隔を開けて順次設けると共に、他方のドレープ片の端部が突き合わされたり重ね合わされて他方のドレープ片の端部が一方のドレープ片の各ライン上に位置した際に形成されている開口部の寸法を示す数字を当該各ラインに近接して表示した請求項１記載の手術用ドレープ。
【考案の詳細な説明】
【技術分野】
【０００１】
この考案は、外科手術を施す際に患者の体を覆うための手術用ドレープに関する。
【背景技術】
【０００２】
外科手術を施す際に、患者の身体の露出を防止したり、体液や医療用の液体の飛散を防止するために患者の身体を布などのドレープで覆うことが行われている。
【０００３】
この場合、ドレープには患者の切開箇所を露出させるための開口部が設けられなければならないが、患者の体格、手術の目的により要求される開口部の大きさはまちまちなので、開口部の大きさを違えた複数種のドレープを用意しなければならない不便さがあった。
【０００４】
上記の不便さを解消する考案として、ドレープを２枚のドレープ片で構成し、上記ドレープ片の端部にそれぞれを重ね合わせた際に開口部を形成するように切り欠きを設けることにより、開口部の大きさを調節することができるドレープが公知であった。
【０００５】
【特許文献１】特開２００１−２５２２８７号公報
【考案の開示】
【考案が解決しようとする課題】
【０００６】
しかしながら、前記の公知考案においては、開口部の大きさを調節することはできても、その大きさ加減はもっぱら現場の医療従事者の目検討に頼っていた。従って、熟練者ならともかく、そうでない者にはその作業はなかなか難しく、また、医師も思い通りのドレープを必要としても、それを医療従事者に的確に指示する手段がなかった。
【課題を解決するための手段】
【０００７】
この考案の手術用ドレープは、以上の従来技術の問題点に鑑みて創作されたものであり、患者の切開箇所を露出させるための開口部と裏面に粘着部を有するドレープを、互いの端部を突き合わせまたは重ね合わせて合わせて使用に供する２枚のドレープ片で構成し、上記ドレープ片の端部にそれぞれを突き合わせまたは重ね合わせた際に開口部を形成するように切り欠きを設けると共に、突き合わせまたは重ね合わせ時の開口部の寸法を示す目盛りをドレープ片表面に設けたことを特徴とする。
【０００８】
また、ここでは第２考案として、前記の第１考案の手術用ドレープにおいて、一方のドレープ片の表面に、端部から離隔する方向に複数本のラインを間隔を開けて順次設けると共に、他方のドレープ片の端部が突き合わされたり重ね合わされて他方のドレープ片の端部が一方のドレープ片の各ライン上に位置した際に形成されている開口部の寸法を示す数字を当該各ラインに近接して表示した手術用ドレープも開示する。
【考案の効果】
【０００９】
よって、この考案によれば、手術用ドレープを構成する２枚のドレープ片の端部の突き合わせ、重ね合わせ具合により、患者の切開箇所を露出させるための開口部の大きさを可変できるので、一つのドレープで要求される様々な大きさの開口部に対応することが可能となる。そして、この場合、突き合わせまたは重ね合わせ時の開口部の寸法を示す目盛りが設けられるので、所望の大きさの開口部を正確に得ることが可能となり、医師も医療従事者に的確に指示することが可能となる。
【００１０】
また、第２考案によれば、一方のドレープ片の表面に、端部から離隔する方向に複数本のラインが間隔を開けて設けられ、他方のドレープ片の端部が突き合わされたり重ね合わされて他方のドレープ片の端部が一方のドレープ片の各ライン上に位置した際に形成されている開口部の寸法を示す数字を当該各ラインに近接して表示されるので、他方のドレープ片の端部が位置する直近のラインの数字が形成される開口部の寸法を常に示すこととなる。よって、寸法を見誤るおそれがなく、医療現場において迅速かつ正確にドレープの開口部の大きさの調節を行うことが可能となる。
【考案を実施するための最良の形態】
【００１１】
以下、この考案の具体的実施例を添付図面に基づいて説明する。図１はこの考案のドレープの使用前の状態を示す図である。このドレープは例えば表面を撥水加工、裏面を吸水加工した布などのシート地からなるもので、２枚のドレープ片１Ａ、１Ｂの組み合わせから構成される。この実施例ではドレープ片１Ａの大きさは縦１００ｃｍ、横５０ｃｍに、ドレープ片１Ｂの大きさは縦１００ｃｍ、横１００ｃｍとしているが、大きさはこれに限定されないことは勿論である。上記ドレープ片１Ａ、１Ｂの端部にはそれぞれを突き合わせまたは重ね合わせた際に開口部Ｈを形成するように切り欠き２Ａ、２Ｂが設けられる。ここではそのような切り欠きの一例としてＵ字状のものを図示しているが、切り欠きの形状は例えば半円状のものやコの字状のものなど、これに限られないことは勿論である。
【００１２】
前記のドレープ片１Ａ、１Ｂの裏面にして切り欠き２Ａ、２Ｂの周囲にはドレープ片を患者の身体に固定するための粘着部３Ａ、３Ｂが設けられ、これらの粘着部の表面には剥離テープが張り付けられる。
【００１３】
以上のドレープ片１Ａ、１Ｂには、突き合わせまたは重ね合わせ時の開口部の寸法を示す目盛りが設けられる。ここでは一方のドレープ片１Ａの表面に端部から離隔する方向に複数本のライン４を間隔を開けて順次設けると共に、他方のドレープ片１Ｂの端部が突き合わされたり重ね合わされて他方のドレープ片の端部が一方のドレープ片１Ａの各ライン上に位置した際に形成されている開口部Ｈの寸法を示す数字５を当該各ラインに近接して表示することをもって目盛りとしている。
【００１４】
以上の構成よりなるこの考案のドレープの使用法は次の通りである。
(1) 先ず、一方のドレープ片１Ａを、切り欠き２Ａが患者の切開予定個所を囲むように患者の身体に置き、裏面の剥離テープを剥がして粘着部３Ａをもって固定する。
(2) 次いで、他方のドレープ片１Ｂを、切り欠き２Ｂが一方のドレープ片１Ａの切り欠き２Ａと組み合わさって開口部Ｈを形成するように、端部を一方のドレープ片１Ａの端部と突き合わせるか、またはその上に重ねて置き、裏面の剥離テープを剥がして粘着部３Ｂをもって固定する。
(3) 前記の場合、一方のドレープ片１Ａのライン４のうちの一部と数字５のうちの一部は他方のドレープ片１Ｂの端部が重なることにより隠れるので、他方のドレープ片の端部が位置する直近のラインの数字が形成される開口部の寸法を常に示すこととなる。例えば図２および４においては直近のライン４の数字５がその時に形成されている開口部Ｈの寸法８ｃｍを、同じく図５においては７ｃｍを示している。
【図面の簡単な説明】
【００１５】
【図１】この考案の手術用ドレープの使用前の斜視図。
【図２】同上、使用状態の斜視図。
【図３】同上、使用前の平面図。
【図４】同上、使用状態の平面図。
【図５】同上、使用状態の平面図。
【符号の説明】
【００１６】
１Ａ      ドレープ片
１Ｂ      ドレープ片
２Ａ      切り欠き
２Ｂ      切り欠き
４        ライン
５        数字
Ｈ        開口部
【図１】
0003141404.tif 000003
【図２】
0003141404.tif 000004
【図３】
0003141404.tif 000005
【図４】
0003141404.tif 000006
【図５】
0003141404.tif 000007